(57)【要約】【課題】  アダン筆の筆作り体験を身近で簡単に行うことができることであり、そのために、アダンの気根を水分が十分含まれた状態で腐敗することなく保存することができ、かつ、簡単に先端部を叩いて繊維を出すことができる、アダン筆の製作キットを実現することである。【解決手段】  少なくとも、アダン筆の軸となる真空パック処理されたアダンの気根と、アダンの気根の穂先の繊維を漉いて整えるための硬質ブラシと、アダンの穂先を擦って整形するためのサンドペーパーとからなるアダン筆製作キットとするものであり、また、真空パック処理は、予め、アダンの気根に抗菌処理を施した後に、真空パック処理されていることを特徴とするものである。【選択図】図３
2013086505.tif 000002
【特許請求の範囲】
【請求項１】
少なくとも、アダン筆の軸となる真空パック処理されたアダンの気根と、アダンの気根の穂先の繊維を漉いて整えるための硬質ブラシと、アダンの穂先を擦って整形するためのサンドペーパーとからなるアダン筆製作キット。
【請求項２】
前記の真空パック処理は、真空用フィルムを用い、真空度が−１００Ｋｐａ以下であることを特徴とする請求項１に記載のアダン筆製作キット。
【請求項３】
前記の真空パック処理は、予め、アダンの気根に抗菌処理を施した後に、真空パック処理されていることを特徴とする請求項１又は請求項２に記載のアダン筆製作キット。
【請求項４】
前記の真空パック処理は、アダンの気根と抗菌剤とを共に真空パック処理されていることを特徴とする請求項１又は請求項２に記載のアダン筆製作キット。
【請求項５】
前記のアダンの気根は、真空パック処理の前に、軽い乾燥処理が施されていることを特徴とする請求項１から請求項４までのいずれかの項に記載のアダン筆製作キット。
【請求項６】
前記のアダンの気根は表皮を除去したものであることを特徴とする請求項１から請求項５までのいずれかに記載のアダン筆製作キット。
【請求項７】
アダンの気根の先端部を叩いて繊維を出すためのハンマーが同梱されていることを特徴とする請求項１から請求項６までのいずれかの項に記載のアダン筆製作キット。
【請求項８】
マンガで書かれたアダン筆の説明書が同梱されていることを特徴とする請求項１から請求項７までのいずれかの項に記載のアダン筆製作キット。
【請求項９】
アダン筆の説明用動画が記録されているＤＶＤが同梱されていることを特徴とする請求項１から請求項８までのいずれかの項に記載のアダン筆製作キット。
【請求項１０】
前記の製作キットは、ブックタイプで一体化されていることを特徴とすることを特徴とする請求項１から請求項９までのいずれかの項に記載のアダン筆製作キット。
【発明の詳細な説明】
【技術分野】
【０００１】  本発明は、アダン気根を用いたアダン筆の製作用キットに関するものである。
【背景技術】
【０００２】  アダンは、熱帯地方に生息するタコノキ科の常緑低木である。このアダンの木の気根部分を用い、特殊な方法で乾燥処理したものを加工して筆の柄及び穂先としたものがアダン筆である。【０００３】  従来のアダン筆は、気根部分を採取し、乾燥して筆の柄とし、その先端部分をたたいてほぐし、穂先の部分としたものであった。【０００４】  このアダン筆の製造方法として、出願人がすでに特許登録している特許第４２３４２９０号がある。【０００５】  上記のようなアダン筆は、熟練した筆職人の手で製作されている。【０００６】  アダン筆は、従来の獣毛を用いた筆とは異なり、植物製であり、筆の柄の部分と穂先の部分は一体となっている。【０００７】  そして、その強靭な植物繊維を穂先とするもの出るため、獣毛の筆のように、穂先となる毛を選別して合わせで構成するような知識は必要としない。【０００８】  アダンの気根の先端部をハンマー等で叩いて繊維を出すことで、穂先を形成することができる。【０００９】  このため、初めての人でも適切な指導が行われるのであれば、アダン筆を製作することは十分に可能である。【００１０】  出願人は、筆作りの経験のない人を対象とした、アダン筆の筆作り体験を行っている。【００１１】  このような、筆作り経験のない人ができる筆作り体験は、従来の獣毛による筆では不可能であったが、強靭な繊維質によるアダンの気根であるため、ハンマーでたたくという簡単な作業により、穂先を形成でき、筆作りができるという筆はなく、児童の教材用、年配者の文化教材としても注目されている。
【先行技術文献】
【特許文献】
【００１２】
【特許文献１】特許第４２３４２９０号公報
【発明の概要】
【発明が解決しようとする課題】
【００１３】  このように、アダンの気根の先端部分をハンマーなどで叩いて繊維を出して穂先を形成することは可能である。【００１４】  このアダン筆は、ハンマーの叩き方や繊維の出し方によって、筆のできに影響することはもちろんであるが、叩く前のアダンの気根に十分な水分が含まれていることが重要である。【００１５】  アダンの気根は、採取した状態では、多くの水分を含んでおり、この水分が多く含んでいることで、ハンマー等で叩いて、簡単に繊維を出すことが可能となっているのである。【００１６】  採取したアダンの気根をそのまま放置しておくと、当然、乾燥して表皮が硬くなってしまう。こうなると、叩いても思うように繊維をだすことが困難となってしまう。【００１７】  このため、アダンの気根を採取したら、表面が硬く乾燥する前に、叩いて繊維を出さなければならない。【００１８】  すなわち、アダン筆の筆作り体験を行うためには、アダンの気根が十分な水分を含んだ状態で保存できなければならないとい保存性の問題がある。【００１９】  また、アダンの気根は水分が多いため、雑菌により腐敗やカビ等の問題もあり、常温では数日、冷蔵保存においても１〜２週間程度が限界である。冷凍保存も可能であるがコストの問題がある。【００２０】  本発明の解決しようとする問題点は、アダン筆の筆作り体験を身近で簡単に行うことができることである。【００２１】  そのためには、アダンの気根を水分が十分含まれた状態で腐敗することなく保存することができ、かつ簡単に先端部を叩いて繊維を出すことができる、アダン筆の製作キットを実現することである。
【課題を解決するための手段】
【００２２】  本発明の請求項１は、少なくとも、アダン筆の軸となる真空パック処理されたアダンの気根と、アダンの気根の穂先の繊維を漉いて整えるための硬質ブラシと、アダンの穂先を擦って整形するためのサンドペーパーとからなるアダン筆製作キットとするものである。【００２３】  本発明の請求項２は、前記の真空パック処理は、真空用フィルムを用い、真空度が−１００Ｋｐａ以下であることを特徴とするアダン筆製作キットとするものである。【００２４】  本発明の請求項３は、前記の真空パック処理は、予め、アダンの気根に抗菌処理を施した後に、真空パック処理されていることを特徴とするアダン筆製作キットとするものである。【００２５】  本発明の請求項４は、前記の真空パック処理は、アダンの気根と抗菌剤とが共に真空パック処理されていることを特徴とするアダン筆製作キットとするものである。【００２６】  本発明の請求項５は、前記のアダンの気根は、真空パック処理の前に、軽い乾燥処理が施されていることを特徴とするアダン筆製作キットとするものである。【００２７】  本発明の請求項６は、前記のアダンの気根は表皮を除去したものであることを特徴とするアダン筆製作キットとするものである。【００２８】  本発明の請求項７は、アダンの気根の先端部を叩いて繊維を出すためのハンマーが同梱されていることを特徴とするアダン筆製作キットとするものである。【００２９】  本発明の請求項８は、マンガで書かれたアダン筆の説明書が同梱されていることを特徴とするアダン筆製作キットとするものである。【００３０】  本発明の請求項９は、アダン筆の説明用動画が記録されているＤＶＤが同梱されていることを特徴とするアダン筆製作キットとするものである。【００３１】  本発明の請求項１０は、前記の製作キットは、ブックタイプで一体化されていることを特徴とすることを特徴とするアダン筆製作キットとするものである。
【発明の効果】
【００３２】  本発明は、以下の効果がある。
（１）アダン筆の筆作りをどこでも簡単に行うことができる。
（２）アダンの気根に十分な水分を含んだままの状態で保存ができる。
（３）硬質ブラシとサンドペーパーにより、アダン筆の穂先を整えることができる。
（４）真空パックにより、酸化を抑制でき、保存性を高めることができる。
（５）アダンの気根に抗菌処理をすること及び抗菌剤を用いることにより、腐食やカビを      抑制することができ、かつ保全性を高めることができる。
（６）真空パック処理前に軽く乾燥することで、抗菌性を高めることができる。
（７）ハンマーを同梱することで、どこでも筆作りを行うことができる。
（８）マンガによる説明書により、児童等でも理解しやすく、楽しく筆作りを行うことが      できる。
（９）ＤＶＤの動画により、だれでもアダン筆が理解しやすくなり、製作しやすくなる。
（１０）ブックタイプで一体化すると、コンパクトになり持ち運びが容易となり、また、コストの軽減となる。
【図面の簡単な説明】
【００３３】
【図１】  本発明によるアダン筆製作キットの外観図である。
【図２】  筆作り製作方法を示すマンガが表示されているアダン筆製作キットの裏面を示す図である。
【図３】  本発明によるアダン筆製作キットの構成を示す概略図である。
【図４】  真空パックされたアダンの気根の写真を示す図である。
【発明を実施するための最良の形態】
【００３４】  本発明のアダン筆製作キットの一実施例について、以下に図面を用いて説明する。【００３５】  図１は、本発明によるアダン筆製作キットの外観図である。【００３６】  本発明のアダン筆製作キットは、薄型ダンボール製の箱状の容器１が用いられている。【００３７】  図２に示すように、裏面には、アダン筆の筆作り製作方法がマンガにより表示されている。【００３８】  マンガによる説明であるため、子供でも、お年寄りでも簡単に理解することができるようになっている。【００３９】  図３は、本発明によるアダン筆製作キットの構成を示す概略図である。【００４０】  本製作キットでは、ダンボール製の箱１の中に、真空パック処理されたアダンの気根２と、アダンの気根の先端部を叩くための木ハンマー３と、叩いた穂先の繊維を整えるためのステンレス製ブラシ４と、穂先の先端部分を擦って整形するためのサンドペーパー５とが収納されている。【００４１】  また、アダンの説明及び筆作りの説明のための「アダン筆物語」のマンガの冊子６が同梱されている。【００４２】  他にも、穂先を固定するための部材（糸、モール、金属線など）や軸の先端に取り付ける掛け紐などを同梱しても良い。【００４３】  尚、本実施例では、製作キットがダンボール製箱に収納されているが、製作キットの各部品が収納できるものであればいずれでも良く、ブックタイプとして、その内部に袋詰めして挟めて収納するものでも良い。【００４４】  図４は、真空パックされたアダンの気根の写真を示す図である。【００４５】  アダンの気根は、約２０ｃｍのものを２本採取し、表皮をはがしたものである。【００４６】  このアダン筆を（株）ハギオス社製のチャンバー式真空包装機を用いて、真空度−１００Ｋｐａで真空パック処理した。【００４７】  真空包装用フイルムとしては、酸素透過度１０ｍｌ／ｍ２・ｄａｙ・ＭＰａ以下のＰＥＴ／ＰＥやＯＮ／ＰＥ、１ｍｌ／ｍ２・ｄａｙ・ＭＰａ以下のバリヤー性複合フイルムやアルミ箔複合フイルムなどが使用できる。【００４８】  真空パックをすることにより、アダンの気根の酸化を防止し、保存性を高めることができる。【００４９】  また、この真空パックをする前に、月桃エキスなどの抗菌剤を気根の表面にスプレー塗布してから真空パック処理しても良い。【００５０】  また、さらに、真空パック時に、錠剤状などの固形の抗菌剤をアダンの気根と一緒に真空パックしても良い。【００５１】  これらの抗菌処理により、雑菌による腐敗やカビを防止でき、真空パックにより酸化を防止できるので、保存性を高めることができ、常温保存において１か月〜３か月程度の保存が可能となる。【００５２】  このようなアダン筆製作キットでは、図２に示す製作方法に従って、以下のように筆製作をすることができる。【００５３】１）キットより、真空パックされたアダンの気根を取り出し、頑丈なテーブルなどの上で気根の先端部分を同梱されている木ハンマーで叩き、先端を解すようにまんべんなく叩く。【００５４】２）次にハンマーで叩いた部分を同梱されているステンレス製ブラシで漉いてゆき、繊維を細かくする。適度に水で湿らせながら丁寧に漉いていく。【００５５】３）ブラシで漉いた後、同梱されているサンドペーパ���で穂先を擦る。特に先の部分をしっかりと擦る。穂先が薄くなり、先端の切り口の線がなくなるまで行う。【００５６】４）最後に水につけて穂先を整えると、穂先がまとまり、筆の穂先となる。【００５７】  このようにして製作されたアダン筆は、植物製繊維質による筆であるが、従来の獣毛にも劣らない、しっかりとした穂先を有する筆となっている。【００５８】  ステンレスブラシにより、繊維を整えられており、サンドペーパーで穂先を尖らせているため、命毛がしっかりしており、アダン筆の力強い独特の書き味を実現している。【００５９】  また、アダン筆は、気根を用いた筆の他にアダンの実を用いた筆もある。同様にアダンの実を真空パック処理することにより、アダンの実の筆の製作キットとすることもできる。【００６０】  また、出願人は、１本の気根の両側を叩き方により筆質の異なる繊維とし、二つを合わせた合わせ筆を実現している。この製作キットも同様に真空パックすることで実現できる。
【符号の説明】
【００６１】１  段ボール製の箱状容器
２  真空パック処理されたアダンの気根
３  木ハンマー３
４  ステンレス製ブラシ
５  サンドペーパー
６  「アダン筆物語」のマンガの冊子
【図１】
2013086505.tif 000003
【図２】
2013086505.tif 000004
【図３】
2013086505.tif 000005
【図４】
2013086505.tif 000006